(57)【要約】      （修正有）【課題】判断機構で、ダウンロード機構により生成した各種類の情報を解析して、広告管理機構が該情報に基づいて関連する広告をダウンロード機構に提供し、広告が有効に分類広告や分割広告に伝送される効果が得られる分割広告装置を提供する。【解決手段】制御機構１と、制御機構１に連結され、関連するデータを提供するデータ機構２と、制御機構１に連結され、データ機構２の関連するデータをダウンロードするダウンロード機構３と、制御機構１に連結され、少なくとも、ハードウェア解析ユニットとソフトウェア解析ユニット、ＩＰ解析ユニット及び内容解析ユニットが含まれ、ダウンロード機構３により生成した各種類の情報を判断する判断機構４と、制御機構１に連結され、判断機構４による解析により、ダウンロード機構３に、適当な広告を提供する広告管理機構５と、から成る。【選択図】図１
0003145657.tif 000002
【実用新案登録請求の範囲】
【請求項１】
制御機構と、
上記の制御機構に連結され、関連するデータを提供するデータ機構と、
上記の制御機構に連結され、データ機構の関連するデータをダウンロードするダウンロード機構と、
上記の制御機構に連結され、少なくとも、ハードウェア解析ユニットとソフトウェア解析ユニット、ＩＰ解析ユニット及び内容解析ユニットが含まれ、ダウンロード機構により生成した各種類の情報を判断する判断機構と、
上記の制御機構に連結され、判断機構による解析により、ダウンロード機構に、適当な広告を提供する広告管理機構と、が含有される、ことを特徴とする分割広告装置。
【請求項２】
該制御機構とダウンロード機構は、それぞれ、連結できる通信インターフェースが含まれることを特徴とする請求項１に記載の分割広告装置。
【請求項３】
該通信インターフェースは、有線ネットワークであることを特徴とする請求項２に記載の分割広告装置。
【考案の詳細な説明】
【技術分野】
【０００１】
本考案は、分割広告装置（ｓｅｇｍｅｎｔｅｄ  ａｄｖｅｒｔｉｓｉｎｇ）に関し、特に、判断機構で、ダウンロード機構により生成された各種類の情報を解析し、広告管理機構で、該情報に基づいて、関連する広告を、ダウンロード機構に提供し、広告が、有効に、分類広告や分割広告に伝送される効果が得られるものに関する。
【背景技術】
【０００２】
一般の従来のパソコンやノットパソコン、携帯電話或いはＰＤＡ等のダウンロード機構は、ビデオ−オーディオマルチメディアデータをダウンロードする時、一般として、ダウンロード機構の関連するウェブページに連結して、オンラインダウンロードやメール伝送或いは光ディスク格納の方式により、関連するビデオ−オーディオデータを取得し、ユーザーが、関連するビデオ−オーディオデータを選択して出力する時、キーボードやマウス等の制御ユニットにより、コマンドをダウンロード機構の内部に送り、それらのビデオ−オーディオデータは、関連するソフトウェア／ハードウェアインターフェースを介して制御されて出力され、これにより、ユーザーに対して、必要とするビデオ−オーディオマルチメディアデータを提供できる。
【０００３】
ユーザーが、ダウンロード機構を介して、関連するウェブページに連結する時、それらの関連するウェブページの画面に、一般として、即時に広告情報が表示され、或いは、電子メールを介して、関連する広告メッセージを、ユーザーの電子メールボックスに伝送し、これにより、広告宣伝の目的が達成される。
【０００４】
しかし、上記の広告宣伝は、その伝播方式が、分類されなくて規則もなく、また、伝送する時、入れ込むように、それらの広告データを伝送するため、多いユーザーが、興味のない広告データを受信し、ユーザーに役立たないだけでなく、長期にそうすれば、ユーザーがそれを嫌がって、それらの広告データを、迷惑メールと見なされ、これにより、ユーザーに迷惑を掛けるだけでなく、関連する通信リソースの無駄になる。
【０００５】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００６】
本考案の主な目的は、判断機構で、ダウンロード機構により生成された各種類の情報を解析し、広告管理機構で、該情報に基づいて、関連する広告を、ダウンロード機構に提供し、広告が、有効に、分類広告や分割広告に伝送される効果が得られる分割広告（ｓｅｇｍｅｎｔｅｄ  ａｄｖｅｒｔｉｓｉｎｇ）装置を提供する。
【課題を解決するための手段】
【０００７】
本考案は、上記の目的を達成するため、制御機構と、上記の制御機構に連結され、関連するデータを提供するデータ機構と、上記の制御機構に連結され、データ機構の関連するデータをダウンロードするダウンロード機構と、上記の制御機構に連結され、少なくとも、ハードウェア解析ユニットとソフトウェア解析ユニット、ＩＰ解析ユニット及び内容解析ユニットが含まれ、ダウンロード機構により生成した各種類の情報を判断する判断機構と、上記の制御機構に連結され、判断機構による解析により、ダウンロード機構に、適当な広告を提供する広告管理機構と、が含有される分割広告装置である。
【考案を実施するための最良の形態】
【０００８】
図１と図２及び図３は、それぞれ、本考案の基本構造の立体外観概念図と本考案の基本構造のブロック概念図及び本考案の使用状態概念図である。図のように、本考案は、分割広告装置であり、少なくとも、制御機構１とデータ機構２、ダウンロード機構３、判断機構４及び広告管理機構５から構成され、判断機構４で、ダウンロード機構３により生成された各種類の情報を解析し、広告管理機構５で、該情報に基づいて、関連する広告を、ダウンロード機構３に提供し、広告が、有効に、分類広告や分割広告に伝送される。
【０００９】
上記の制御機構１は、通信インターフェース１１があり、該通信インターフェース１１は、有線ネットワークや無線ネットワークである。
【００１０】
該データ機構２は、上記の制御機構１に連結され、関連するデータを提供し、また、該データ機構２は、少なくとも、ニュースデータベース２１や財経データベース２２、音楽データベース２３及び画像データベース２４が含まれ、また、該ニュースデータベース２１や財経データベース２２、音楽データベース２３及び画像データベース２４は、コンピュータサーバーでも良い。
【００１１】
該ダウンロード機構３は、通信インターフェース３１を介して、上記の制御機構１に連結され、データ機構２の関連するデータをダウンロードでき、該ダウンロード機構３の通信インターフェース３１は、有線ネットワークや無線ネットワークを介して、制御機構１の通信インターフェース１１に連結され、また、該ダウンロード機構３は、パソコンやノットパソコン、携帯電話或いはＰＤＡでも良い。
【００１２】
該判断機構４は、上記の制御機構１に連結され、少なくとも、ハードウェア解析ユニット４１とソフトウェア解析ユニット４２、ＩＰ解析ユニット４３及び内容解析ユニット４４が含まれ、ダウンロード機構３により生成された各種類の情報を判断する。
【００１３】
該広告管理機構５は、上記の制御機構１に連結され、判断機構４による解析に基づいて、ダウンロード機構３に、適当な広告を提供し、該広告管理機構５は、少なくとも、メンバーデータユニット５１や知識グループユニット５２、ファッショングループユニット５３、学生グループユニット５４及びカスタマイズグループユニット５５が含まれ、また、該知識グループユニット５２やファッショングループユニット５３、学生グループユニット５４及びカスタマイズグループユニット５５は、それぞれ、封印入札モジュール５６が備えられる。上記の構造により、新規の分割広告装置が構成される。
【００１４】
本考案によれば、ユーザーが、ダウンロード機構３で、通信インターフェース３１を介して、制御機構１の通信インターフェース１１に連結し、ユーザーが、関連するデータやパスワードを入力して認証され、連結された後、該ユーザーは、制御機構１で、データ機構２のニュースデータベース２１や財経データベース２２、音楽データベース２３及び画像データベース２４から、必要とする関連するデータを捕獲して、閲覧やダウンロードできる。
【００１５】
ユーザーは、ダウンロード機構３で、制御機構１を介して、データ機構２から、必要とするデータを閲覧やダウンロードする時、該広告管理機構５は、メンバーデータユニット５１で、制御機構１に合わせて、ユーザーが、メンバーであるかを判断し、該ユーザーがメンバー身分であれば、該判断機構４は、制御機構１で、ダウンロード機構３に対して、関連する解析を行い、解析は、ハードウェア解析ユニット４１やソフトウェア解析ユニット４２、ＩＰ解析ユニット４３及び内容解析ユニット４４で、ダウンロード機構３により生成された各種類の情報を解析し、広告管理機構５で、判断機構４の解析に基づいて、知識グループユニット５２やファッショングループユニット５３、学生グループユニット５４及びカスタマイズグループユニット５５により、ダウンロード機構３に、適当な広告情報を提供する。例えば、次のようである。
【００１６】
１、ハードウェア解析ユニット４１で、ダウンロード機構３のハードウェア設備に対して、解析すると、ユーザーが、どのメーカや品番のダウンロード機構３で、制御機構１に連結することが分かり、例えば、ユーザーに使用されるダウンロード機構３が、大手メーカの最新品番で、高価である時、該ユーザーが新規のものに興味を持つこと、また、所定の経済力を持つことを示し、これにより、該広告管理機構５は、高価やファッションの情報を有する広告データを、ダウンロード機構３に提供し、逆に、一般の広告データを提供する。
【００１７】
２、ソフトウェア解析ユニット４２で、ダウンロード機構３のソフトウェア設備について、解析すると、ユーザーのダウンロード機構３にあるソフトウェアプログラムが、会社バージョンや試用バージョン、フリーバージョン或いは海賊版であることが分かり、例えば、ユーザーに使用されるダウンロード機構３のソフトウェアに、試用バージョンやフリーバージョンが多い時、該ユーザーが、特価や無料商品の情報に興味を持つことを示し、これにより、該広告管理機構５は、特価に関連する広告データを、ダウンロード機構３に提供し、逆に、一般の広告データを提供する。
【００１８】
３、ＩＰ解析ユニット４３で、ダウンロード機構３のＩＰについて、解析すると、ユーザーのＩＰ位置や所在区域及びユーザー身分が分かり、ユーザーの所在位置が分かれば、ユーザーに、該地区とその周辺の店の広告データを、ダウンロード機構３に提供し、また、所在地区が、田舎であれば、ユーザーに、より地元の広告データを提供し、また、ユーザーの身分が、学生であれば、ユーザーに文化教育情報の広告データを提供する。
【００１９】
４、内容解析ユニット４４で、ダウンロード機構３の閲覧やダウンロードデータ内容について、解析すると、ユーザーの平時の閲覧やダウンロード慣習が分かり、例えば、ユーザーが、よく、知識性の内容を閲覧する場合、該ユーザーの知識程度が比較的に高いことを示し、そのため、該広告管理機構５は、知識に関連する広告データを、ダウンロード機構３に提供し、逆に、一般の広告データを提供する。
【００２０】
これにより、本考案は、判断機構４で、ダウンロード機構３により生成した各種類の情報を解析して、広告管理機構５が、該情報に基づいて、関連する広告を、ダウンロード機構３に提供し、広告が、有効に分類広告や分割広告に伝送される効果が得られる。
【００２１】
図４は、本考案に係る広告管理機構の使用状態概念図である。図のように、本考案に係る広告管理機構５の知識グループユニット５２やファッショングループユニット５３、学生グループユニット５４及びカスタマイズグループユニット５５は、それぞれ、封印入札モジュール５６があり、該封印入札モジュール５６により、複数の店主６が、刊行された内容に基づいて、関連するグループユニットを選択して入札して、広告データの刊行上位を取得できる。
【００２２】
以上のように、本考案に係る分割広告装置は、有効に、従来の諸欠点を解消でき、判断機構で、ダウンロード機構により生成した各種類の情報を解析し、広告管理機構が、該情報に基づいて、関連する広告を、ダウンロード機構に提供し、これにより、広告が、有効に分類広告や分割広告に伝送される効果が得られ、そのため、本考案は、より進歩的かつより実用的で、法に従って実用新案登録請求を出願する。
【００２３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２４】
【図１】本考案の基本構造の立体外観概念図
【図２】本考案の基本構造のブロック概念図
【図３】本考案の使用状態概念図
【図４】本考案に係る広告管理機構の使用状態概念図
【符号の説明】
【００２５】
１    制御機構
１１  通信インターフェース
２    データ機構
２１  ニュースデータベース
２２  財経データベース
２３  音楽データベース
２４  画像データベース
３    ダウンロード機構
３１  通信インターフェース
４    判断機構
４１  ハードウェア解析ユニット
４２  ソフトウェア解析ユニット
４３  ＩＰ解析ユニット
４４  内容解析ユニット
５    広告管理機構
５１  メンバーデータユニット
５２  知識グループユニット
５３  ファッショングループユニット
５４  学生グループユニット
５５  カスタマイズグループユニット
５６  封印入札モジュール
６    店主
【図１】
0003145657.tif 000003
【図２】
0003145657.tif 000004
【図３】
0003145657.tif 000005
【図４】
0003145657.tif 000006